(57)【要約】【課題】  固定画素の表示デバイスを有するテレビジョン受像機等の映像表示・音声出力装置において、表示される映像が、映像信号の画素配列をデジタル信号処理によってこの表示デバイスの画素配列に合わせる画素数変換回路（スケーラー）や、デジタル信号処理によって映像を高画質化する高画質化信号処理回路の存在によって音声に対して遅れる現象を解消する。【解決手段】  固定画素の表示デバイス７と、入力した映像信号及び音声信号のうちの映像信号の画素配列を、デジタル信号処理によって表示デバイス７の画素配列に合わせるスケーラー５と、デジタル信号処理によって映像を高画質化する高画質化信号処理回路４とを有する映像表示・音声出力装置に、スケーラー５及び高画質化信号処理回路４での処理に要する時間を記憶した記憶手段１５と、音声信号を、記憶手段１５に記憶された時間分だけ遅延させる遅延手段１０とを備える。【選択図】  図２
2005079699.tif 000002
【特許請求の範囲】
【請求項１】
入力した映像信号及び音声信号のうちの映像信号の画素配列を、デジタル信号処理によって固定画素の表示デバイスの画素配列に合わせる画素数変換回路
を有する映像・音声信号処理装置において、
前記画素数変換回路での処理に要する時間を記憶した記憶手段と、
前記音声信号を、前記記憶手段に記憶された時間分だけ遅延させる遅延手段と
を備えたことを特徴とする映像・音声信号処理装置。
【請求項２】
請求項１に記載の映像・音声信号処理装置において、
デジタル信号処理によって映像を高画質化する高画質化信号処理回路
をさらに有しており、
前記記憶手段に、前記画素数変換回路及び前記高画質化信号処理回路での処理に要する時間が記憶されていることを特徴とする映像・音声信号処理装置。
【請求項３】
請求項２に記載の映像・音声信号処理装置において、
前記高画質化信号処理回路で映像信号に処理を施すか否か、及び／または前記高画質化信号処理回路での処理内容に応じて、２以上のモードを切り替え可能であり、
前記記憶手段に、各々の前記モードについての前記画素数変換回路及び前記高画質化信号処理回路での処理に要する時間がそれぞれ記憶されており、
前記音声信号を、現在の前記モードについて前記記憶手段に記憶されている時間分だけ遅延させるように前記遅延手段を制御する制御手段
をさらに備えたことを特徴とする映像・音声信号処理装置。
【請求項４】
固定画素の表示デバイスと、
入力した映像信号及び音声信号のうちの映像信号の画素配列を、デジタル信号処理によって前記表示デバイスの画素配列に合わせる画素数変換回路と
を有する映像表示・音声出力装置において、
前記画素数変換回路での処理に要する時間を記憶した記憶手段と、
前記音声信号を、前記記憶手段に記憶された時間分だけ遅延させる遅延手段と
を備えたことを特徴とする映像表示・音声出力装置。
【請求項５】
請求項４に記載の映像表示・音声出力装置において、
デジタル信号処理によって映像を高画質化する高画質化信号処理回路
をさらに有しており、
前記記憶手段に、前記画素数変換回路及び前記高画質化信号処理回路での処理に要する時間が記憶されていることを特徴とする映像表示・音声出力装置。
【請求項６】
請求項５に記載の映像表示・音声出力装置において、
前記高画質化信号処理回路で映像信号に処理を施すか否か、及び／または前記高画質化信号処理回路での処理内容に応じて、２以上のモードを切り替え可能であり、
前記記憶手段に、各々の前記モードについての前記画素数変換回路及び前記高画質化信号処理回路での処理に要する時間がそれぞれ記憶されており、
前記音声信号を、現在の前記モードについて前記記憶手段に記憶されている時間分だけ遅延させるように前記遅延手段を制御する制御手段
をさらに備えたことを特徴とする映像表示・音声出力装置。
【発明の詳細な説明】
【技術分野】
【０００１】
本発明は、例えば固定画素の表示デバイスを有するテレビジョン受像機に適用して好適な映像・音声信号処理装置及び映像表示・音声出力装置に関する。
【背景技術】
【０００２】
プラズマディスプレイや液晶ディスプレイのような固定画素の表示デバイスに映像を表示する映像表示装置には、入力映像信号の画素配列をデジタル信号処理によって表示デバイスの画素配列に合わせる画素数変換回路（スケーラー）が設けられている（例えば、特許文献１参照。）。
【０００３】
また、近年、プラズマテレビや液晶テレビのような、固定画素の表示デバイスを有するテレビジョン受像機が普及している。そうしたテレビジョン受像機としては、スケーラーに加えて、デジタル信号処理によって映像を高画質化する回路を設けたものも登場している。
【０００４】
図１は、固定画素の表示デバイスを有する従来のテレビジョン受像機の映像・音声信号処理系の構成例を示す。アナログテレビジョン放送の電波を受信するアンテナ１から、このテレビジョン受像機のチューナー２にテレビジョン信号が送られる。チューナー２によって選択されたチャンネルのテレビジョン信号は復調回路３に送られ、復調回路３はこのテレビジョン信号を復調してアナログ映像信号（有効走査線数４８３本のＮＴＳＣ信号）及びアナログ音声信号を得る。
【０００５】
この復調されたアナログ映像信号は、高画質化信号処理回路４に送られる。高画質化信号処理回路４は、図示は省略するが、アナログ映像信号をＩＴＵによる４：２：２方式でデジタル変換する（輝度信号の１走査線あたりの有効画素数を７２０画素にする）Ａ／Ｄ変換器を含むとともに、その後段に、デジタル信号処理によって映像を高画質化するための回路（例えばインターレース信号のプログレッシブ変換を行う回路等）を含んでいる。
【０００６】
高画質化信号処理回路４でデジタル信号処理を施されたデジタル映像信号は、スケーラー（画素数変換回路）５に送られる。スケーラー５では、入力したデジタル映像信号の画素配列を、テレビジョン受像機が有している固定画素パネル（プラズマディスプレイパネルや液晶ディスプレイパネル）７の画素配列に合わせるデジタル信号処理が行われる。
【０００７】
具体的には、例えば固定画素パネル７の画素配列が水平方向１０２４画素×垂直方向７６８画素であれば、スケーラー５では、輝度信号の１走査線あたりの有効画素数７２０画素・有効走査線数４８３本の入力デジタル映像信号が、輝度信号の１走査線あたりの有効画素数１０２４画素・有効走査線数７６８本のデジタル映像信号に変換される。
【０００８】
スケーラー５で画素数変換されたデジタル映像信号は、固定画素パネル７を駆動する表示ドライバー６に送られる。表示ドライバー６は、入力したデジタル映像信号に応じた電圧を固定画素パネル７に印加する。
【０００９】
他方、復調回路３で復調されたアナログ音声信号は、音声増幅回路８で増幅された後、スピーカー９から出力される。
【特許文献１】特開２００１−２４２８２０号公報（段落番号０００３〜００１０、図４）
【発明の開示】
【発明が解決しようとする課題】
【００１０】
しかし、この従来のテレビジョン受像機では、高画質化信号処理回路４やスケーラー５でのデジタル信号処理に時間を要する（処理内容にもよるが百ミリ秒程度の時間を要することものもある）ので、スピーカー９から出力される音声に対して、固定画素パネル７に表示される映像が遅れる（音声のほうが早く聴こえる）という現象が生じてしまう。
【００１１】
自然界では、映像（人間が見ている物）に対して音声（見ている物から発生される音）が遅れることはあっても、音声のほうが早く聴こえることはない。したがって、こうした現象は、番組を見る人に不快感を与えてしまう。
【００１２】
本発明は、上述の点に鑑み、固定画素の表示デバイスを有するテレビジョン受像機等の映像表示・音声出力装置において、表示される映像がスケーラーや高画質化信号処理回路の存在によって音声に対して遅れる現象を解消することを課題としてなされたものである。
【課題を解決するための手段】
【００１３】
この課題を解決するために、本出願人は、入力した映像信号及び音声信号のうちの映像信号の画素配列をデジタル信号処理によって固定画素の表示デバイスの画素配列に合わせる画素数変換回路（スケーラー）を有する映像・音声信号処理装置において、このスケーラーでの処理に要する時間を記憶した記憶手段と、音声信号をこの記憶手段に記憶された時間分だけ遅延させる遅延手段とを備えた映像・音声信号処理装置を提案する。
【００１４】
この映像・音声信号処理装置では、入力した映像信号及び音声信号のうちの映像信号に対するスケーラーでのデジタル信号処理に要する時間が、記憶手段に予め記憶されている。そして、音声信号のほうが、この記憶手段に記憶された時間分だけ遅延手段によって遅延されることにより、映像信号の出力タイミングと音声信号の出力タイミングとが一致させられる。
【００１５】
したがって、固定画素の表示デバイスを有するテレビジョン受像機等の映像表示・音声出力装置にこの映像・音声信号処理装置を搭載すれば、その表示デバイスに表示される映像がスケーラーの存在によって音声に対して遅れる現象を解消することができる。
【００１６】
なお、この映像・音声信号処理装置が、デジタル信号処理によって映像を高画質化する高画質化信号処理回路をさらに有している場合には、記憶手段には、スケーラー及び高画質化信号処理回路での処理に要する時間を記憶することが好適である。
【００１７】
それにより、固定画素の表示デバイスを有するテレビジョン受像機等の映像表示・音声出力装置において、映像がスケーラーだけでなく高画質化信号処理回路の存在によって音声に対して遅れる現象をも解消することができるようになる。
【００１８】
また、このような高画質化信号処理回路を有する映像・音声信号処理装置が、高画質化信号処理回路で映像信号に処理を施すか否か、及び／または高画質化信号処理回路での処理内容に応じて、２以上のモードを切り替え可能である場合には、記憶手段に、各モードについてのスケーラー及び高画質化信号処理回路での処理に要する時間をそれぞれ記憶するとともに、音声信号を、現在のモードについて記憶手段に記憶されている時間分だけ遅延させるように遅延手段を制御する制御手段をさらに備えることが好適である。
【００１９】
それにより、固定画素の表示デバイスを有するテレビジョン受像機等の映像表示・音声出力装置において、表示する映像の画質を切り替えても、映像がスケーラー及び高画質化信号処理回路の存在によって音声に対して現象を解消することができるようになる。
【００２０】
次に、本出願人は、固定画素の表示デバイスと、入力した映像信号及び音声信号のうちの映像信号の画素配列を、デジタル信号処理によってこの表示デバイスの画素配列に合わせる画素数変換回路（スケーラー）とを有する映像表示・音声出力装置において、このスケーラーでの処理に要する時間を記憶した記憶手段と、音声信号を、この記憶手段に記憶された時間分だけ遅延させる遅延手段とを備えた映像表示・音声出力装置を提案する。
【００２１】
この映像表示・音声出力装置では、入力した映像信号及び音声信号のうちの映像信号に対するスケーラーでのデジタル信号処理に要する時間が、記憶手段に予め記憶されている。そして、音声信号のほうが、この記憶手段に記憶された時間分だけ遅延手段によって遅延されることにより、映像信号の出力タイミングと音声信号の出力タイミングとが一致させられる。
【００２２】
これにより、固定画素の表示デバイスに表示される映像がスケーラーの存在によって音声に対して遅れる現象が解消される。
【００２３】
なお、この映像表示・音声出力装置が、デジタル信号処理によって映像を高画質化する高画質化信号処理回路をさらに有している場合には、記憶手段には、スケーラー及び高画質化信号処理回路での処理に要する時間を記憶することが好適である。
【００２４】
それにより、固定画素の表示デバイスに表示される映像が、スケーラーだけでなく高画質化信号処理回路の存在によって音声に対して遅れる現象をも解消することができるようになる。
【００２５】
また、このような高画質化信号処理回路を有する映像表示・音声出力装置が、高画質化信号処理回路で映像信号に処理を施すか否か、及び／または高画質化信号処理回路での処理内容に応じて、２以上のモードを切り替え可能である場合には、記憶手段に、各モードについてのスケーラー及び高画質化信号処理回路での処理に要する時間をそれぞれ記憶するとともに、音声信号を、現在のモードについて記憶手段に記憶されている時間分だけ遅延させるように遅延手段を制御する制御手段をさらに備えることが好適である。
【００２６】
それにより、表示する映像の画質を切り替えても、固定画素の表示デバイスに表示される映像がスケーラー及び高画質化信号処理回路の存在によって音声に対して現象を解消することができるようになる。
【発明の効果】
【００２７】
本発明によれば、固定画素の表示デバイスを有するテレビジョン受像機等の映像表示・音声出力装置において、表示される映像が、映像信号の画素配列をデジタル信号処理によってこの表示デバイスの画素配列に合わせる画素数変換回路（スケーラー）の存在によって音声に対して遅れる現象を解消することができるという効果が得られる。
【００２８】
また、こうした映像表示・音声出力装置において、表示される映像が、スケーラーだけでなくデジタル信号処理によって映像を高画質化する高画質化信号処理回路の存在によって音声に対して遅れる現象をも解消することができるという効果が得られる。
【００２９】
また、こうした映像表示・音声出力装置において、表示する映像の画質を切り替えても、表示される映像がスケーラー及び高画質化信号処理回路の存在によって音声に対して遅れる現象を解消することができるという効果が得られる。
【発明を実施するための最良の形態】
【００３０】
以下、プラズマテレビや液晶テレビのような、固定画素の表示デバイスを有するテレビジョン受像機に本発明を適用した例について、図面を用いて具体的に説明する。
【００３１】
図２は、本発明を適用したテレビジョン受像機の映像・音声信号処理系の構成例を示しており、図１と共通する部分には同一符号を付している。アナログテレビジョン放送の電波を受信するアンテナ１から、このテレビジョン受像機のチューナー２にテレビジョン信号が送られる。チューナー２によって選択されたチャンネルのテレビジョン信号は復調回路３に送られ、復調回路３はこのテレビジョン信号を復調してアナログ映像信号（有効走査線数４８３本のＮＴＳＣ信号）及びアナログ音声信号を得る。
【００３２】
この復調されたアナログ映像信号は、高画質化信号処理回路４に送られる。高画質化信号処理回路４は、図示は省略するが、アナログ映像信号をＩＴＵによる４：２：２方式でデジタル変換する（輝度信号の１走査線あたりの有効画素数を７２０画素にする）Ａ／Ｄ変換器を含むとともに、その後段に、デジタル信号処理によって映像を高画質化するための回路（例えばインターレース信号のプログレッシブ変換を行う回路等）を含んでいる。
【００３３】
なお、このテレビジョン受像機では、高画質化信号処理回路４内においてこのＡ／Ｄ変換器から出力されたデジタル映像信号に後段の回路で処理を施すことによって高画質映像を表示する高画質モードと、高画質化信号処理回路４内においてこのＡ／Ｄ変換器から出力されたデジタル映像信号をそのまま（後段の回路で処理を施すことなく）出力することによって通常の画質の映像を表示するノーマルモードとを、図示しないリモートコントローラの操作によって切り替え可能になっている。
【００３４】
高画質化信号処理回路４から出力されたデジタル映像信号は、スケーラー（画素数変換回路）５に送られる。スケーラー５では、入力したデジタル映像信号の画素配列を、テレビジョン受像機が有している固定画素パネル（プラズマディスプレイパネルや液晶ディスプレイパネル）７の画素配列に合わせるデジタル信号処理が行われる。
【００３５】
具体的には、例えば固定画素パネル７の画素配列が水平方向１０２４画素×垂直方向７６８画素であれば、スケーラー５では、輝度信号の１走査線あたりの有効画素数７２０画素・有効走査線数４８３本の入力デジタル映像信号が、輝度信号の１走査線あたりの有効画素数１０２４画素・有効走査線数７６８本のデジタル映像信号に変換される。
【００３６】
スケーラー５で画素数変換されたデジタル映像信号は、固定画素パネル７を駆動する表示ドライバー６に送られる。表示ドライバー６は、入力したデジタル映像信号に応じた電圧を固定画素パネル７に印加する。
【００３７】
他方、復調回路３で復調されたアナログ音声信号は、音声遅延回路１０に送られる。音声遅延回路１０は、入力アナログ音声信号を所定のサンプリング周波数（例えば４４．１ｋＨｚまたは４８ｋＨｚ）でデジタル変換するＡ／Ｄ変換器１１と、Ａ／Ｄ変換器１１から出力されたデジタル音声信号を一時記憶するためのＲＡＭ１２と、ＲＡＭ１２から読み出されたデジタル音声信号をアナログ変換するＤ／Ａ変換器１３と、タイミング回路１４とから成っている。
【００３８】
タイミング回路１４は、Ａ／Ｄ変換器１１，Ｄ／Ａ変換器１３に動作クロックを供給するとともに、デジタル音声信号の書込み・読出しクロックをＲＡＭ１２に供給する。タイミング回路１４によるＲＡＭ１２からのデジタル音声信号の読出しタイミングの設定（読出しクロックの出力タイミングの設定）は、マイクロプロセッサ１５の制御のもとで行われる。
【００３９】
Ｄ／Ａ変換器１３から出力されたアナログ音声信号は、音声遅延回路１０から音声増幅回路８に送られて増幅された後、スピーカー９から出力される。
【００４０】
このテレビジョン受像機の設計時には、スケーラー５での処理に要する時間と高画質化信号処理回路４での処理に要する時間とを合計した時間（「高画質表示時の処理時間」と呼ぶことにする）と、スケーラー５での処理に要する時間（「ノーマル表示時の処理時間」と呼ぶことにする）とが、機種に固有の処理時間としてそれぞれ求められている。
【００４１】
そして、マイクロプロセッサ１５内のＲＯＭには、この高画質表示時の処理時間のデータとノーマル表示時の処理時間のデータとが、それぞれ予め記憶されている。また、マイクロプロセッサ１５には、リモートコントローラの操作に基づき、現在の表示モード（高画質モードであるかノーマルモードであるか）を知らせる表示モード情報が供給される。
【００４２】
図３は、この表示モード情報が供給される毎にマイクロプロセッサ１５が実行する処理を示すフローチャートである。この処理では、最初に、現在の表示モードが高画質モードであるか否かを判断する（ステップＳ１）。
【００４３】
イエスであれば、マイクロプロセッサ１５内のＲＯＭから、高画質表示時の処理時間のデータを読み出す。そして、音声遅延回路１０内のＲＡＭ１２からのデジタル音声信号の読出しタイミングとして、ＲＡＭ１２へのデジタル音声信号の書込みタイミングからこの高画質表示時の処理時間分だけ遅れたタイミングをタイミング回路１４に設定する（ステップＳ２）。そして処理を終了する。
【００４４】
他方ノーであれば（現在の表示モードがノーマルモードであれば）、マイクロプロセッサ１５内のＲＯＭから、ノーマル表示時の処理時間のデータを読み出す。そして、音声遅延回路１０内のＲＡＭ１２からのデジタル音声信号の読出しタイミングとして、ＲＡＭ１２へのデジタル音声信号の書込みタイミングからこのノーマル表示時の処理時間分だけ遅れたタイミングをタイミング回路１４に設定する（ステップＳ３）。そして処理を終了する。
【００４５】
このテレビジョン受像機では、リモートコントローラで高画質モードに切り替えられると、マイクロプロセッサ１５の図３のステップＳ１，Ｓ２の処理により、音声遅延回路１０内のＲＡＭ１２に書き込まれたデジタル映像信号が高画質表示時の処理時間（スケーラー５での処理に要する時間と高画質化信号処理回路４での処理に要する時間とを合計した時間）分だけ遅れたタイミングでＲＡＭ１２から読み出されるので、音声遅延回路１０においてこの高画質表示時の処理時間分だけアナログ音声信号が遅延されることにより、スケーラー５からのデジタル映像信号の出力タイミングと音声遅延回路１０からのアナログ音声信号の出力タイミングとが一致させられる。
【００４６】
また、リモートコントローラでノーマルモードに切り替えられた場合にも、マイクロプロセッサ１５の図３のステップＳ１，Ｓ３の処理により、音声遅延回路１０内のＲＡＭ１２に書き込まれたデジタル映像信号がノーマル表示時の処理時間（スケーラー５での処理に要する時間）分だけ遅れたタイミングでＲＡＭ１２から読み出されるので、音声遅延回路１０においてこのノーマル表示時の処理時間分だけアナログ音声信号が遅延されることにより、やはりスケーラー５からのデジタル映像信号の出力タイミングと音声遅延回路１０からのアナログ音声信号の出力タイミングとが一致させられる。
【００４７】
このように、高画質モード，ノーマルモードのいずれにおいても、スケーラー５からのデジタル映像信号の出力タイミングと音声遅延回路１０からのアナログ音声信号の出力タイミングとが一致させられるので、固定画素パネル７に表示される映像が高画質化信号処理回路４及びスケーラー５の存在によって音声に対して遅れる現象を解消することができる。
【００４８】
なお、以上の例では、チューナー２で選択されて復調回路３で復調されたアナログ映像信号，アナログ音声信号がそれぞれ高画質化信号処理回路４，音声遅延回路１０に送られる例を示した。しかし、これに限らず、例えばＶＴＲやＤＶＤプレーヤーからこのテレビジョン受像機に入力されるアナログ映像信号，アナログ音声信号がそれぞれ高画質化信号処理回路４，音声遅延回路１０に送られる場合にも、やはり全く同様にして、固定画素パネル７に表示される映像が高画質化信号処理回路４及びスケーラー５の存在によって音声に対して遅れる現象を解消することができる。
【００４９】
また、以上の例では、ノーマルモード時に、高画質化信号処理回路４内においてＡ／Ｄ変換器から出力されたデジタル映像信号をそのまま（後段の回路で処理を施すことなく）出力するようにしたテレビジョン受像機に本発明を適用している。しかし、別の例として、ノーマルモード時にも高画質化信号処理回路内において映像信号にデジタル映像信号処理を施すが高画高画質モード時とノーマルモード時とで処理内容が異なるようにしたテレビジョン受像機にも本発明を適用してよい。
【００５０】
その場合には、「高画質表示時の処理時間」として、スケーラー５での処理に要する時間と高画質モードにおける高画質化信号処理回路での処理に要する時間とを合計した時間を求めるとともに、「ノーマル表示時の処理時間」として、スケーラー５での処理に要する時間とノーマルモードにおける高画質化信号処理回路での処理に要する時間とを合計した時間を求め、それらの時間のデータをそれぞれマイクロプロセッサ１５内のＲＯＭに予め記憶させるようにすればよい。
【００５１】
また、以上の例では、高画質モードとノーマルモードとを切り替え可能なテレビジョン受像機に本発明を適用している。しかし、別の例として、高画質モードのみが存在するテレビジョン受像機にも本発明を適用してよい。
【００５２】
その場合には、「高画質表示時の処理時間」のみを求めてその時間のデータをマイクロプロセッサ１５内のＲＯＭに予め記憶させ、音声遅延回路１０内のＲＡＭ１２からのデジタル音声信号の読出しタイミングとしては、常に、ＲＡＭ１２へのデジタル音声信号の書込みタイミングからこの高画質表示時の処理時間分だけ遅れたタイミングをタイミング回路１４に設定するようにすればよい。
【００５３】
また、以上の例では、スケーラー５及び高画質化信号処理回路４を設けたテレビジョン受像機に本発明を適用している。しかし、別の例として、スケーラー５を設けているが高画質化信号処理回路を設けていないテレビジョン受像機にも本発明を適用してよい。
【００５４】
その場合には、スケーラー５での処理に要する時間のみを求めてその時間のデータをマイクロプロセッサ１５内のＲＯＭに予め記憶させ、音声遅延回路１０内のＲＡＭ１２からのデジタル音声信号の読出しタイミングとしては、常に、ＲＡＭ１２へのデジタル音声信号の書込みタイミングからこの時間分だけ遅れたタイミングをタイミング回路１４に設定するようにすればよい。
【００５５】
また、以上の例ではテレビジョン受像機に本発明を適用しているが、テレビジョン受像機以外の映像表示・音声出力装置であって固定画素の表示デバイスを有する映像表示・音声出力装置にも本発明を適用してよい。
【図面の簡単な説明】
【００５６】
【図１】固定画素の表示デバイスを有する従来のテレビジョン受像機の映像・音声信号処理系の構成例を示すブロック図である。
【図２】本発明を適用したテレビジョン受像機の映像・音声信号処理系の構成例を示すブロック図である。
【図３】図２のマイクロプロセッサが実行する処理を示すフローチャートである。
【符号の説明】
【００５７】
１  アンテナ
２  チューナー
３  復調回路
４  高画質化信号処理回路
５  スケーラー（画素数変換回路）
６  表示ドライバー
７  固定画素パネル
８  音声増幅回路
９  スピーカー
１０  音声遅延回路
１１  Ａ／Ｄ変換器
１２  ＲＡＭ
１３  Ｄ／Ａ変換器
１４  タイミング回路
１５  マイクロプロセッサ
【図１】
2005079699.tif 000003
【図２】
2005079699.tif 000004
【図３】
2005079699.tif 000005